(57)【要約】【課題】第２室の温度の調節のために第１室から第２室に空気を流すための構成が簡易である建築物の温度調節構造を提供する。【解決手段】建築物１００の温度調節構造１０は区画部材１２０により区画された第１室１３１および第２室１３２を含む建築物１００の屋内を機械換気により換気する換気装置２０と、換気装置２０の圧力により第１室１３１から第２室１３２に空気が流れるように区画部材１２０に設置される連通部３０とを備える。【選択図】図１
2019120104.tif 000002
【特許請求の範囲】
【請求項１】
区画部材により区画された第１室および第２室を含む建築物の屋内を機械換気により換気する換気装置と、
前記換気装置の圧力により前記第１室から前記第２室に空気が流れるように前記区画部材に設置される連通部とを備える
建築物の温度調節構造。
【請求項２】
前記連通部はダクトである
請求項１に記載の建築物の温度調節構造。
【請求項３】
前記連通部は前記第１室に開口する第１開口部、および、前記第２室に開口する第２開口部を含み、
前記第１開口部は前記第１室の上方に設置され、
前記第２開口部は前記第２室の下方に設置される
請求項１または２に記載の建築物の温度調節構造。
【請求項４】
前記第２室は前記第１室よりも上の階に形成される
請求項３に記載の建築物の温度調節構造。
【請求項５】
前記第１室は居室であり、
前記第２室は脱衣所である
請求項１〜４のいずれか一項に記載の建築物の温度調節構造。
【請求項６】
前記換気装置は排気ファンを含み、
前記排気ファンは前記第２室と繋がる第３室に設置される
請求項１〜５のいずれか一項に記載の建築物の温度調節構造。
【発明の詳細な説明】
【技術分野】
【０００１】
本発明は建築物の温度調節構造に関する。
【背景技術】
【０００２】
第１室から第２室に空気を流し、第２室の温度を調節する建築物の温度調節構造が知られている。特許文献１に記載の建築物の温度調節構造は第１の空間(１０)と第２の空間(２０)とを繋ぐ通気ダクト(３)、および、通気ダクト(３)に設置されるファン(５)を備える。第１の空間(１０)に設置される暖房装置(２)が動作することにより第１の空間(１０)の空気が暖められる。ファン(５)が動作することにより第１の空間(１０)の暖気が通気ダクト(３)を通過して第２の空間(２０)に流れる。このため、第２の空間(２０)に暖房装置が設置されない場合でも居住者は第２の空間(２０)が暖められた状態で第２の空間(２０)を利用できる。
【先行技術文献】
【特許文献】
【０００３】
【特許文献１】特開２０１３−１８５７４３号公報
【発明の概要】
【発明が解決しようとする課題】
【０００４】
建築物の施工やコストの観点から、第２室の温度の調節のために第１室から第２室に空気を流すための構成が簡易であることが望ましい。
【課題を解決するための手段】
【０００５】
(１)本発明に関する建築物の温度調節構造は区画部材により区画された第１室および第２室を含む建築物の屋内を機械換気により換気する換気装置と、前記換気装置の圧力により前記第１室から前記第２室に空気が流れるように前記区画部材に設置される連通部とを備える。
換気装置が動作している場合、第１室の空気が連通部を介して第２室に流れる。第１室の空気が暖房装置により暖められている場合には、第１室の暖気が第２室に流れる。このため、第２室が暖められる。第１室の空気が冷房装置により冷やされている場合には、第１室の冷気が第２室に流れる。このため、第２室が冷やされる。いずれの場合にも建築物に標準的に設置される換気装置を利用して第１室から第２室に空気が流されるため、第２室の温度の調節のために第１室から第２室に空気を流すための構成が簡易である。
【０００６】
(２)好ましい例では(１)に記載の建築物の温度調節構造において、前記連通部はダクトである。
ダクトの構造の設計により第１室から第２室に流れる空気の流量を調節できるため、第２室の温度の調節に要求される空気の流量が適切に確保される。
【０００７】
(３)好ましい例では(１)または(２)に記載の建築物の温度調節構造において、前記連通部は前記第１室に開口する第１開口部、および、前記第２室に開口する第２開口部を含み、前記第１開口部は前記第１室の上方に設置され、前記第２開口部は前記第２室の下方に設置される。
第１室で暖房装置が使用される場合、相対的に第１室の上方の温度が高くなる。このため、相対的に温度が高い暖気が第１室から第１開口部を介して連通部内に流れる。第２開口部を介して第２室の下方に流れた暖気は第２室の下方から上方に流れる。このため、第２室が全体的に暖気される。
【０００８】
(４)好ましい例では(３)に記載の建築物の温度調節構造において、前記第２室は前記第１室よりも上の階に形成される。
このため、第１室で暖房装置が使用される場合、第１室から第２室にスムーズに暖気が流れ、第２室が速やかに暖められる。
【０００９】
(５)好ましい例では(１)〜(４)のいずれか一項に記載の建築物の温度調節構造において、前記第１室は居室であり、前記第２室は脱衣所である。
第１室で暖房装置が使用される場合、第１室の暖気が連通部を介して第２室に流れ、第２室が暖められる。このため、第１室である居室で過ごしている居住者が第２室に移動した場合にヒートショックの発生が抑制される。
【００１０】
(６)好ましい例では(１)〜(５)のいずれか一項に記載の建築物の温度調節構造において、前記換気装置は排気ファンを含み、前記排気ファンは前記第２室と繋がる第３室に設置される。
このため、第２室が建築物の外壁と隣接しない場合でも換気装置の換気を利用して第１室から第２室に空気を流すことができる。
【発明の効果】
【００１１】
本発明に関する建築物の温度調節構造によれば、第２室の温度の調節のために第１室から第２室に空気を流すための構成が簡易である。
【図面の簡単な説明】
【００１２】
【図１】実施形態の建築物の模式図。
【図２】図１の連通部の斜視図。
【図３】変形例の建築物の模式図。
【発明を実施するための形態】
【００１３】
(実施形態)
図１を参照して、建築物１００およびその温度調節構造１０の一例について説明する。建築物１００の階数および種類は任意に選択できる。図示される例では、建築物１００は２階建の個別住宅である。建築物１００内には、外壁１１０および区画部材１２０により複数の室１３０が形成される。区画部材１２０は壁１２１、床１２２、および、天井１２３を含む。複数の室１３０は居室および非居室を含む。居室に含まれる室の主な例は、リビング、ダイニング、リビングダイニング、寝室、応接室、および、書斎である。非居室に含まれる室の主な例は、玄関、廊下、階段室、トイレ、洗面所、脱衣所、浴室、物置、および、納戸である。
【００１４】
建築物１００は温度調節構造１０を備える。この温度調節構造１０は換気により生じる空気の流れを利用し、複数の室１３０のうちの第１室１３１から第２室１３２に暖気が流れるように建築物１００に設けられる。第１室１３１および第２室１３２はそれぞれ任意に選択できる。一例では、第１室１３１は居室であり、第２室は非居室である。第１室１３１には暖房装置１４０が設置される。第２室１３２には暖房装置１４０が設置されない。居住者が必要とする場合には第２室１３２にも暖房装置１４０が設置される。暖房装置１４０の種類は任意に選択できる。暖房装置１４０の一例は空気調和機、エアーコンディショナー、石油ファンヒーター、ガスファンヒーター、セラミックファンヒーター、オイルヒーター、ハロゲンヒーター、カーボンヒーター、パネルヒーター、石油ストーブ、ガスストーブ、床暖房、ホットカーペット、電気毛布、および、こたつである。図示される例では、暖房装置１４０は第１室１３１の上方１３１Ａに設置されるエアーコンディショナーである。
【００１５】
１階１０１には、少なくとも第１室１３１が形成される。２階１０２には、少なくとも第２室１３２および第３室１３３が形成される。図示される例では、第１室１３１はリビングであり、第２室１３２は脱衣所であり、第３室１３３は浴室である。第２室１３２と第３室１３３との間の出入口には、扉１５０が設置される。扉１５０には換気口１５１が形成される。扉１５０が閉じた状態でも換気口１５１を介して第２室１３２と第３室１３３との間で空気が流れる。
【００１６】
温度調節構造１０を構成する主な要素は換気装置２０および連通部３０である。換気装置２０は建築物１００の屋内を機械換気により換気する。換気装置２０の換気の範囲は全般換気または局部換気である。換気装置２０の運転方式は連続運転または間欠運転である。連通部３０は換気装置２０の圧力により第１室１３１から第２室１３２に空気が流れるように区画部材１２０内に設置される。
【００１７】
換気装置２０を構成する主な要素は給気部２１および排気部２２である。換気装置２０により形成される換気経路には、少なくとも第１室１３１、連通部３０、第２室１３２、および、第３室１３３の順に空気が流れる換気経路が含まれる。一例では、給気部２１、第１室１３１、連通部３０、第２室１３２、第３室１３３、および、排気部２２の順に空気が流れる換気経路が換気装置２０により形成される。給気部２１および排気部２２の具体的な構成は換気装置２０の換気方式に応じて決められる。
【００１８】
換気方式が第１種換気である場合、給気部２１は給気口２１Ａおよび給気ファン２１Ｂにより構成され、排気部２２は排気口２２Ａおよび排気ファン２２Ｂにより構成される。換気方式が第３種換気である場合、給気部２１は給気口２１Ａにより構成され、排気部２２は排気口２２Ａおよび排気ファン２２Ｂにより構成される。給気口２１Ａは第１室１３１の外壁１１０に設置される。給気ファン２１Ｂは給気口２１Ａに設置される。排気口２２Ａは第３室１３３の外壁１１０に設置される。排気ファン２２Ｂは排気口２２Ａに設置される。給気ファン２１Ｂおよび排気ファン２２Ｂの種類の一例はプロペラファン、高静圧プロペラファン、シロッコファン、および、ターボファンである。
【００１９】
連通部３０の一例は図２に示されるダクトである。このダクトは区画部材１２０のうち、第１室１３１の壁１２１および第２室１３２の壁１２１内に設置される。連通部３０は第１室１３１に開口する第１開口部３１、第２室１３２に開口する第２開口部３２、および、第１開口部３１と第２開口部３２とを繋ぐ中間部３３により構成される。第１開口部３１は第１室１３１の上方１３１Ａに開口する。第１室１３１の上方１３１Ａは第１室１３１の天井１２３、または、第１室１３１の壁１２１における天井１２３寄りの部分である。第２開口部３２は第２室１３２の下方１３２Ｂに開口する。第２室１３２の下方１３２Ｂは第２室１３２の床１２２、または、第２室１３２の壁１２１における床１２２寄りの部分である。連通部３０内には空気の通路３４が形成される。通路３４にはファンは設置されない。
【００２０】
第１室１３１で暖房装置１４０が使用される場合、相対的に第１室１３１の上方１３１Ａの温度が高くなる。このため、相対的に温度が高い暖気が第１室１３１から第１開口部３１を介して連通部３０の通路３４に流れる。第２開口部３２を介して第２室１３２の下方１３２Ｂに流れた暖気は第２室１３２の下方１３２Ｂから上方１３２Ａに流れる。このため、第２室１３２が全体的に暖気される。
【００２１】
好ましい例では、通路３４は換気装置２０の圧力により第１室１３１から第２室１３２に流れる空気の流量が所定流量以上となるように構成される。所定流量は暖房装置１４０による第１室１３１の暖房が開始されてから所定時間が経過した場合に、第１室１３１の温度と第２室１３２の温度との差が所定差以下となるように設定される。所定差は第２室１３２を利用する居住者に快適な環境を提供すること、または、その居住者の健康を保つことを意図して設定される。第２室１３２の温度は外気温度の影響を受けるため、所定流量の設定には標準的な外気温度が用いられる。一例では、所定流量以上の流量を確保するため、連通部３０の第１開口部３１および第２開口部３２は横に長い開口を有する。中間部３３も第１開口部３１および第２開口部３２の形状に応じて横に長い。
【００２２】
第２室１３２が脱衣所である場合、温度調節構造１０は居住者のヒートショックの発生を抑えることを意図して設計される。図示される例では、換気装置２０の換気方式は第１種換気である。換気装置２０の換気の範囲は全般換気である。換気装置２０の運転方式は連続運転である。連通部３０に関する所定流量の設定には、標準的な冬の外気温度が用いられる。
【００２３】
温度調節構造１０の作用および効果について説明する。換気装置２０が動作している状態では、給気部２１、第１室１３１、連通部３０、第２室１３２、第３室１３３、および、排気部２２の順に空気が流れ、建築物１００の屋内が換気される。換気装置２０の運転方式が連続運転であるため、特別な事情がない限り常に換気装置２０による換気が継続される。居住者は主に第１室１３１で過ごす。冬場のように屋内の温度が低い環境では、居住者は第１室１３１で過ごす場合に第１室１３１の暖房装置１４０を利用する。暖房装置１４０により暖められた第１室１３１の暖気は換気装置２０の換気により連通部３０を介して第２室１３２に流れる。このため、居住者が第１室１３１で過ごしている間に第２室１３２が暖められる。居住者は入浴する場合に第１室１３１から第２室１３２に移動する。居住者が第２室１３２を利用する段階では、すでに第２室１３２が暖められているため、ヒートショックの発生が抑制される。なお、換気装置２０の運転方式が間欠運転であり、温度調節構造１０による第２室１３２の暖房を利用する場合には、居住者の操作により第２室１３２の利用前に換気装置２０が予め運転される。
【００２４】
温度調節構造１０によれば、さらに次のような効果が得られる。建築物１００に標準的に設置される換気装置２０を利用して第１室１３１から第２室１３２に空気が流されるため、第２室１３２の温度の調節のために第１室１３１から第２室１３２に空気を流すための構成が簡易である。また、連通部３０にファンが設置されないため、連通部３０の構成が簡素化され、さらにファンのための電気代が削減される。また、連通部３０がダクトであるため、ダクトの構造の設計により第１室１３１から第２室１３２に流れる空気の流量を調節でき、第２室１３２の温度の調節に要求される空気の流量が適切に確保される。また、第２室１３２が第１室１３１よりも上の階に形成されるため、第１室１３１の暖気が第１室１３１から第２室１３２にスムーズに暖気が流れ、第２室１３２が速やかに暖められる。また、温度調節の対象である第２室１３２とは異なる第３室１３３に設置される排気ファン２２Ｂが利用されるため、第２室１３２が建築物１００の外壁１１０と隣接しない場合でも換気装置２０の換気を利用して第１室１３１から第２室１３２に空気を流すことができる。
【００２５】
(変形例)
上記実施形態は本発明に関する建築物およびその温度調節構造が取り得る形態の例示であり、その形態を制限することを意図していない。本発明に関する建築物およびその温度調節構造は実施形態に例示された形態とは異なる形態を取り得る。その一例は、実施形態の構成の一部を置換、変更、もしくは、省略した形態、または、実施形態に新たな構成を付加した形態である。
【００２６】
・建築物１００の構造は任意に変更可能である。一例では、図３に示されるように、第１室１３１にスキップフロア１６０が設置される。スキップフロア１６０の設置にともない第１室１３１の天井１２３の位置は第２室１３２の床１２２よりも高い。この場合、区画部材１２０を構成する壁１２１のうち、第１室１３１の上方１３１Ａと第２室１３２の下方１３２Ｂとを区画する部分１２１Ａに連通部３０が設置される。連通部３０は例えば直線状のダクトである。
【００２７】
・建築物１００に設置される設備は任意に変更可能である。一例では、第１室１３１には、暖房装置１４０に加えて、または、暖房装置１４０に代えて冷房装置が設置される。第２室１３２には冷房装置が設置されない。居住者が必要とする場合には第２室１３２にも冷房装置が設置される。冷房装置の種類は任意に選択できる。冷房装置の一例は空気調和機およびエアーコンディショナーである。換気装置２０の動作中に冷房装置により第１室１３１の空気が冷やされる場合、第１室１３１の冷気が連通部３０を介して第２室１３２に流れる。
【符号の説明】
【００２８】
１０  ：温度調節構造
２０  ：換気装置
２２Ｂ：排気ファン
３０  ：連通部
３１  ：第１開口部
３２  ：第２開口部
１２０：区画部材
１２２：床
１３１：第１室
１３２：第２室
１３３：第３室
【図１】
2019120104.tif 000003
【図２】
2019120104.tif 000004
【図３】
2019120104.tif 000005